(57)【要約】【課題】洗浄消毒装置が給水を実行中に、水道設備を共用する他の洗浄消毒装置が同時に給水を行った場合でも、水フイルタの目詰まりによる給水異常を正確に判定する。【解決手段】洗浄消毒装置は、給水開始から水位が所定水位に到達するまでの給水時間Ｔを測定する。給水時間内において同時に給水を行った他の洗浄消毒装置の給水実行状況を表す給水ステータス情報を取得する。給水ステータス情報に基づいて、給水時間Ｔにおける、単独実行した単独時間比率と同時給水を実行した台数毎の実行時間比率を求める。予め求められた単独実行給水時間係数と台数毎の同時実行給水時間係数を、単独実行時間比率及び台数毎の実行時間比率で重み付けして、給水時間係数の加重平均値αを求める。加重平均値で給水時間Ｔを割ることで、給水時間Ｔから同時実行に起因する遅延分を除去して、目詰まりに起因する遅延を表す評価値を算出する。【選択図】図１７
2011206316.tif 000002
【特許請求の範囲】
【請求項１】
医療器具を洗浄する洗浄槽と、前記洗浄槽に給水するための給水経路と、給水経路に交換可能に配置された水フイルタと、給水経路を開閉する給水弁とを有し、給水弁を開いて洗浄槽に給水を行う洗浄消毒装置において、
前記給水経路は、複数台の洗浄消毒装置で共用する水道設備に設けられた複数の蛇口のうちの１つと接続されており、
前記給水弁が開かれる給水開始から前記給水弁を閉じて給水を終了するまでの１回の給水に要する給水時間を計測するタイマと、
前記給水時間の間に他の洗浄消毒装置が同時に給水を実行しているか否かを表す給水ステータス情報を取得する給水ステータス情報取得手段と、
前記給水時間に含まれる、前記水フイルタの目詰まりに起因する時間的な遅延を表す評価値を算出する評価値算出手段であり、前記給水ステータス情報に基づいて、前記給水時間のうち、単独で給水を実行する単独実行時間と、同時に給水を実行する台数毎の同時実行時間を算出し、前記給水時間から、同時実行に起因する時間的な遅延を除去して前記評価値を算出する評価値算出手段と、
算出された前記評価値と閾値を比較して、前記水フイルタの目詰まりによる給水異常を判定する判定手段とを備えていることを特徴とする洗浄消毒装置。
【請求項２】
前記評価値算出手段は、同時実行に起因する時間的な遅延を、単独実行した場合の単独実行給水時間係数を基準とする割合で表した同時実行給水時間係数を予め記憶する給水時間係数記憶手段から、台数毎の前記同時実行給水時間係数を読み出し、
前記単独実行時間と台数毎の前記同時実行時間のそれぞれが前記給水時間の中に占める割合であるそれぞれの実行時間比率を算出し、
各前記実行時間比率で重み付けを行って、前記給水時間における、前記単独実行給水時間係数と前記同時実行給水時間係数との加重平均値を算出し、
前記給水時間を前記加重平均値で割ることにより、前記水フイルタの目詰まりに起因する時間的な遅延を表す第１評価値を算出することを特徴とする請求項１記載の洗浄消毒装置。
【請求項３】
前記台数毎の同時実行給水時間係数は、単独実行で測定した給水時間を基準値としたときに、前記基準値の測定条件と台数のみが異なる測定条件で同時実行した場合の台数毎の給水時間の前記基準値に対する割合であることを特徴とする請求項２記載の洗浄消毒装置。
【請求項４】
前記評価値算出手段は、前記第１評価値を前記基準値で割ることで、単独実行の場合を基準とする割合で表した第２評価値を算出することを特徴とする請求項１〜３のいずれか１項に記載の洗浄消毒装置。
【請求項５】
前記水フイルタの目詰まりによる給水異常と判定された場合に警告する警告手段を備えていることを特徴とする請求項１〜４のいずれか１項に記載の洗浄消毒装置。
【請求項６】
前記記憶手段を装置本体内に備えていることを特徴とする請求項２〜５のいずれか１項に記載の洗浄消毒装置。
【請求項７】
前記同時実行給水時間係数を前記記憶手段に設定するための設定手段を備えていることを特徴とする請求項６記載の洗浄消毒装置。
【請求項８】
前記給水ステータス情報取得手段は、前記給水ステータス情報を複数台の洗浄消毒装置から収集する収集装置を経由して前記給水ステータス情報を取得することを特徴とする請求項１〜７のいずれか１項に記載の洗浄消毒装置。
【請求項９】
前記給水ステータス情報取得手段は、他の各洗浄消毒装置からそれぞれの前記給水ステータス情報を直接取得することを特徴とする請求項１〜７のいずれか１項に記載の洗浄消毒装置。
【請求項１０】
前記請求項１〜９のいずれか１項に記載の洗浄消毒装置が複数台通信可能に接続された洗浄消毒システム。
【請求項１１】
前記請求項８記載の洗浄消毒装置が複数台通信可能に接続された洗浄消毒システムであり、
前記収集装置は、複数台の前記洗浄消毒装置の情報を管理する情報管理装置であり、
前記情報管理装置は、各洗浄消毒装置が洗浄消毒処理を実行中か否か、及び洗浄消毒処理の全工程内の進捗状況のうちの少なくとも１つを含む各洗浄消毒装置のステータスを表示する表示機能を備えていることを特徴とする洗浄消毒システム。
【請求項１２】
医療器具を洗浄する洗浄槽と、給水経路に交換可能に配置された、水を濾過するための水フイルタと、複数台の洗浄消毒装置で共用する水道設備に設けられた複数の蛇口のうちの１つと接続された給水経路を開閉する給水弁とを有し、給水弁を開いて洗浄槽に給水を行う洗浄消毒装置の前記水フイルタの目詰まりによる給水異常を判定する給水異常判定装置において、
前記給水弁が開かれる給水開始から前記給水弁を閉じて給水を終了するまでの１回の給水に要する給水時間を計測するタイマと、
前記給水を実行中に他の洗浄消毒装置が同時に給水を実行しているか否かを表す給水ステータス情報を取得する給水ステータス情報取得手段と、
前記給水時間に含まれる、前記水フイルタの目詰まりに起因する時間的な遅延を表す評価値を算出する評価値算出ステップであり、前記給水ステータス情報に基づいて、前記給水時間のうち、単独で給水を実行している単独実行時間と、同時に給水を実行している台数毎の同時実行時間を算出し、前記給水時間から、同時実行に起因する時間的な遅延を除去して前記評価値を算出する評価値算出手段と、
算出された前記評価値と閾値を比較して、前記水フイルタの目詰まりによる給水異常を判定する判定手段とを備えていることを特徴とする洗浄消毒装置の給水異常判定装置。
【請求項１３】
医療器具を洗浄する洗浄槽と、給水経路に交換可能に配置された、水を濾過するための水フイルタと、複数台の洗浄消毒装置で共用する水道設備に設けられた複数の蛇口のうちの１つと接続された給水経路を開閉する給水弁とを有し、給水弁を開いて洗浄槽に給水を行う洗浄消毒装置の前記水フイルタの目詰まりによる給水異常を判定する給水異常判定方法において、
前記給水弁が開かれる給水開始から前記給水弁を閉じて給水を終了するまでの１回の給水に要する給水時間を計測する給水時間計測ステップと、
前記給水を実行中に他の洗浄消毒装置が同時に給水を実行しているか否かを表す給水ステータス情報を取得する給水ステータス情報取得ステップと、
前記給水時間に含まれる、前記水フイルタの目詰まりに起因する時間的な遅延を表す評価値を算出する評価値算出ステップであり、前記給水ステータス情報に基づいて、前記給水時間のうち、単独で給水を実行している単独実行時間と、同時に給水を実行している台数毎の同時実行時間を算出し、前記給水時間から、同時実行に起因する時間的な遅延を除去して前記評価値を算出する評価値算出ステップと、
算出された前記評価値と閾値を比較して、前記水フイルタの目詰まりによる給水異常を判定する判定ステップとを備えていることを特徴とする洗浄消毒装置の給水異常判定方法。
【発明の詳細な説明】
【技術分野】
【０００１】
本発明は、内視鏡などの医療器具を洗浄消毒する洗浄消毒装置、洗浄消毒システム、洗浄消毒装置の給水異常判定装置及び方法に関するものである。
【背景技術】
【０００２】
使用済みの内視鏡を洗浄及び消毒する洗浄消毒装置が知られている（特許文献１及び２参照）。洗浄消毒装置は、使用済みの内視鏡を洗浄槽に収容し、洗浄工程、消毒工程、すすぎ工程等からなる洗浄消毒処理を自動的に行う。洗浄工程やすすぎ工程において、洗浄槽には給水経路を通じて給水される。
【０００３】
給水経路は配管によって構成され、上流端には、水道設備を構成する蛇口とホースで接続される給水口が設けられている。給水口の下流側には、水を濾過する水フイルタと給水経路を開閉する給水弁が配置されている。給水弁は電動で開閉される電磁弁であり、洗浄消毒装置は、給水弁の開閉を制御することで給水を行う。
【０００４】
水フイルタの目詰まりが進行すると、単位時間当たりの給水量が減少して、空の状態の洗浄槽に給水を開始して洗浄に必要な適正水位に到達するまでの給水時間が増加する。特許文献１の洗浄消毒装置は、給水開始から洗浄槽の水位が適正水位に到達するまでの給水時間を測定し、測定した給水時間が、閾値を超えた場合に、水フイルタの目詰まりによる給水異常と判定している。
【０００５】
特許文献２の洗浄消毒装置は、水フイルタの交換直後に測定した水圧を初期値として設定し、設定した初期値と、水フイルタの目詰まりによって徐々に減少する水圧との圧力差を測定して、圧力差が閾値を超えた場合に、水フイルタの目詰まりによる給水異常と判定している。
【０００６】
洗浄消毒装置が設置される施設毎に水道設備の性能は異なるので、水道設備の水圧が変化すると、単位時間当たりの給水量が変化して、給水時間も変化する。特許文献２の圧力差を測定する方法によれば、水道設備の性能が違っても、その影響を受けずに水フイルタの目詰まりによる給水異常を判定することができる。
【先行技術文献】
【特許文献】
【０００７】
【特許文献１】特開平８−１４０９３０号公報
【特許文献２】特開平１１−１２８１５８号公報
【発明の概要】
【発明が解決しようとする課題】
【０００８】
ところで、比較的大規模な医療施設では、内視鏡洗浄室に複数台の洗浄消毒装置を設置して、複数台設置されることが多い。複数台の洗浄消毒装置は、同じ水道設備を共用することになるため、各洗浄消毒装置が同時に給水を実行すると、１台の洗浄消毒装置が単独で給水を実行した場合と比べて水圧が低下するので、単位時間当たりの給水量が減少し、給水時間も遅延する。同時に給水を実行する洗浄消毒装置の台数が増加すれば、さらに給水時間が遅延する。
【０００９】
特許文献１の洗浄消毒装置のように、給水時間そのものと閾値を比較して、水フイルタの目詰まりによる給水異常を判定する方法では、他の洗浄消毒装置の給水実行状況が給水時間に与える影響を排除できないため、水フイルタの目詰まりによる給水異常を正確に判定することができないという問題がある。
【００１０】
特許文献２の圧力差を測定する方法は、施設毎の水道設備の性能の違いの影響を受けずに、水フイルタの目詰まりによる給水異常を判定することはできるが、他の洗浄消毒装置の給水実行状況は、測定した圧力差にも影響を及ぼすため、特許文献１の方法と同様に、給水異常の正確な判定ができない。
【００１１】
医療器具用の洗浄消毒装置に使用される水フイルタは、高い浄化能力を持つ比較的高価なフイルタであるため、不要な交換を避けてランニングコストを抑制するためにも、水フイルタの目詰まりによる給水異常を正確に判定する対策が求められている。
【００１２】
本発明は、上記背景に鑑みてなされたもので、その目的は、洗浄消毒装置が給水を実行中に、水道設備を共用する他の洗浄消毒装置が同時に給水を行った場合でも、水フイルタの目詰まりによる給水異常を正確に判定することにある。
【課題を解決するための手段】
【００１３】
本発明の洗浄消毒装置は、医療器具を洗浄する洗浄槽と、前記洗浄槽に給水するための給水経路と、給水経路に交換可能に配置された水フイルタと、給水経路を開閉する給水弁とを有し、給水弁を開いて洗浄槽に給水を行う洗浄消毒装置において、前記給水経路は、複数台の洗浄消毒装置で共用する水道設備に設けられた複数の蛇口のうちの１つと接続されており、前記給水弁が開かれる給水開始から前記給水弁を閉じて給水を終了するまでの１回の給水に要する給水時間を計測するタイマと、前記給水時間の間に他の洗浄消毒装置が同時に給水を実行しているか否かを表す給水ステータス情報を取得する給水ステータス情報取得手段と、前記給水時間に含まれる、前記水フイルタの目詰まりに起因する時間的な遅延を表す評価値を算出する評価値算出手段であり、前記給水ステータス情報に基づいて、前記給水時間のうち、単独で給水を実行する単独実行時間と、同時に給水を実行する台数毎の同時実行時間を算出し、前記給水時間から、前記同時実行に起因する時間的な遅延を除去して前記評価値を算出する評価値算出手段と、算出された前記評価値と閾値を比較して、前記水フイルタの目詰まりによる給水異常を判定する判定手段とを備えていることを特徴とする。
【００１４】
前記評価値算出手段は、同時実行に起因する時間的な遅延を、単独実行した場合の単独実行給水時間係数を基準とする割合で表した同時実行給水時間係数を予め記憶する給水時間係数記憶手段から、台数毎の前記同時実行給水時間係数を読み出し、前記単独実行時間と台数毎の前記同時実行時間のそれぞれが前記給水時間の中に占める割合であるそれぞれの実行時間比率を算出し、各前記実行時間比率で重み付けを行って、前記給水時間における、前記単独実行給水時間係数と前記同時実行給水時間係数との加重平均値を算出し、前記給水時間を前記加重平均値で割ることにより、前記水フイルタの目詰まりに起因する時間的な遅延を表す第１評価値を算出することが好ましい。
【００１５】
前記台数毎の同時実行給水時間係数は、単独実行で測定した給水時間を基準値としたときに、前記基準値の測定条件と台数のみが異なる測定条件で同時実行した場合の台数毎の給水時間の前記基準値に対する割合であることが好ましい。
【００１６】
前記評価値算出手段は、前記第１評価値を前記基準値で割ることで、単独実行の場合を基準とする割合で表した第２評価値を算出することが好ましい。
【００１７】
前記水フイルタの目詰まりによる給水異常と判定された場合に警告する警告手段を備えていることが好ましい。
【００１８】
前記記憶手段は、例えば、装置本体内に設けられる。この場合、前記同時実行給水時間係数を前記記憶手段に設定するための設定手段を備えていることが好ましい。
【００１９】
前記給水ステータス情報取得手段は、前記給水ステータス情報を複数台の洗浄消毒装置から収集する収集装置を経由して前記給水ステータス情報を取得する。また、他の各洗浄消毒装置からそれぞれの前記給水ステータス情報を直接取得してもよい。
【００２０】
本発明の洗浄消毒システムは、上記洗浄消毒装置が複数台通信可能に接続されたものである。
【００２１】
また、洗浄消毒システムにおいて、前記収集装置は、複数台の前記洗浄消毒装置の情報を管理する情報管理装置であり、前記情報管理装置は、各洗浄消毒装置が洗浄消毒処理を実行中か否か、及び洗浄消毒処理の全工程内の進捗状況のうちの少なくとも１つを含む各洗浄消毒装置のステータスを表示する表示機能を備えていることが好ましい。
【００２２】
本発明の洗浄消毒装置の給水異常判定装置は、医療器具を洗浄する洗浄槽と、給水経路に交換可能に配置された、水を濾過するための水フイルタと、複数台の洗浄消毒装置で共用する水道設備に設けられた複数の蛇口のうちの１つと接続された給水経路を開閉する給水弁とを有し、給水弁を開いて洗浄槽に給水を行う洗浄消毒装置の前記水フイルタの目詰まりによる給水異常を判定する給水異常判定装置において、前記給水弁が開かれる給水開始から前記給水弁を閉じて給水を終了するまでの１回の給水に要する給水時間を計測するタイマと、前記給水を実行中に他の洗浄消毒装置が同時に給水を実行しているか否かを表す給水ステータス情報を取得する給水ステータス情報取得手段と、前記給水時間に含まれる、前記水フイルタの目詰まりに起因する時間的な遅延を表す評価値を算出する評価値算出ステップであり、前記給水ステータス情報に基づいて、前記給水時間のうち、単独で給水を実行している単独実行時間と、同時に給水を実行している台数毎の同時実行時間を算出し、前記給水時間から、前記同時実行に起因する時間的な遅延を除去して前記評価値を算出する評価値算出手段と、算出された前記評価値と閾値を比較して、前記水フイルタの目詰まりによる給水異常を判定する判定手段とを備えていることを特徴とする。
【００２３】
本発明の洗浄消毒装置の給水異常判定方法は、医療器具を洗浄する洗浄槽と、給水経路に交換可能に配置された、水を濾過するための水フイルタと、複数台の洗浄消毒装置で共用する水道設備に設けられた複数の蛇口のうちの１つと接続された給水経路を開閉する給水弁とを有し、給水弁を開いて洗浄槽に給水を行う洗浄消毒装置の前記水フイルタの目詰まりによる給水異常を判定する給水異常判定方法において、前記給水弁が開かれる給水開始から前記給水弁を閉じて給水を終了するまでの１回の給水に要する給水時間を計測する給水時間計測ステップと、前記給水を実行中に他の洗浄消毒装置が同時に給水を実行しているか否かを表す給水ステータス情報を取得する給水ステータス情報取得ステップと、前記給水時間に含まれる、前記水フイルタの目詰まりに起因する時間的な遅延を表す評価値を算出する評価値算出ステップであり、前記給水ステータス情報に基づいて、前記給水時間のうち、単独で給水を実行している単独実行時間と、同時に給水を実行している台数毎の同時実行時間を算出し、前記給水時間から、前記同時実行に起因する時間的な遅延を除去して前記評価値を算出する評価値算出ステップと、算出された前記評価値と閾値を比較して、前記水フイルタの目詰まりによる給水異常を判定する判定ステップとを備えていることを特徴とする。
【発明の効果】
【００２４】
本発明は、複数台の洗浄消毒装置が水道設備を共用する場合において、１台の洗浄消毒装置が１回の給水を実行する給水時間のうち、他の洗浄消毒装置が同時に給水を実行している時間を表す同時実行時間を調べて、給水時間から同時実行時間に基づいて同時実行に起因する時間的な遅延を除去して評価値を算出し、評価値に基づいて水フイルタの目詰まりによる給水異常を判定するから、水フイルタの目詰まりによる給水異常を正確に判定することができる。
【図面の簡単な説明】
【００２５】
【図１】本発明の洗浄消毒装置の外観図である。
【図２】トップカバーを開けた状態の洗浄消毒装置の外観図である。
【図３】配管系統を示す説明図である。
【図４】洗浄消毒処理手順を示すフローチャートである。
【図５】洗浄工程の処理手順を示すフローチャートである。
【図６】すすぎ工程の処理手順を示すフローチャートである。
【図７】消毒後のすすぎ工程の処理手順を示すフローチャートである。
【図８】電気構成の概略を示すブロック図である。
【図９】通信可能に接続された複数台の洗浄消毒装置の説明図である。
【図１０】水位センサの説明図である。
【図１１】給水開始からの経過時間に応じた水位変化を示すグラフである。
【図１２】警告メッセージの説明図である。
【図１３】複数台が同時に給水を実行する場合のタイミングチャートである。
【図１４】同時給水が実行された場合の水位変化を示すグラフである。
【図１５】給水時間係数テーブルの説明図である。
【図１６】設定画面の説明図である。
【図１７】評価値算出手順を示すフローチャートである。
【図１８】給水処理手順を示すフローチャートである。
【図１９】ステータス表示画面の説明図である。
【発明を実施するための形態】
【００２６】
図１及び図２に示すように、内視鏡洗浄消毒装置（以下、洗浄消毒装置と呼ぶ）１０は、箱状の装置本体１１を備えている。装置本体１１の上部には、使用後の内視鏡１２を収容し、洗浄液や消毒液が供給される洗浄槽１３が設けられている。洗浄槽１３は、上部が開放された水槽であり、例えばステンレス等の耐熱性、耐蝕性等に優れた金属材料で形成されている。装置本体１１には、洗浄槽１３の開口部１３ａを覆う蓋として機能するトップカバー１６が設けられている。
【００２７】
装置本体１１は、シャーシ（図示せず）を有しており、シャーシには、洗浄槽１３やトップカバー１６の他、洗浄消毒処理を行うための洗浄消毒機構（図３参照）が設けられている。洗浄消毒機構は、洗浄液や消毒液を洗浄槽１３に供給するための配管、ポンプ、電磁弁、さらに、洗剤や消毒液を貯留するタンクなどからなる。シャーシの外周は、前面パネル１７、側面パネル１８、上部パネル１９からなる外装部材によって覆われている。
【００２８】
洗浄槽１３の内周形状は、上方から見ると、前方部分が略円形で、後方部分が略方形をしている。前方部分の底面には、内視鏡１２が載置される略円形のネット２１が配置されている。ネット２１は、内視鏡１２と底面との間に液体が流れ込む隙間を作り、洗浄槽１３に供給される液体が、内視鏡１２の外表面に接触する面積を増加させる。
【００２９】
ネット２１の中央には、内視鏡１２から取り外された、送気・送水ボタンや吸引ボタンなどの小物部品を収容する小物洗浄かご２２が配置されている。小物洗浄かご２２の近傍には、天井洗浄ノズル２３、小物洗浄ノズル６１（図３参照）、温度センサ５７（図３参照）が配置されている。天井洗浄ノズル２３は、上方に位置するトップカバー１６の内面（天井）に向けて洗浄液や水を噴射して、天井を洗浄する。小物洗浄ノズル６１は、小物洗浄かご２２に収容された小物部品に向けて洗浄液や水を噴射して小物部品を洗浄する。温度センサ５７は、洗浄槽１３内に貯えられた液体の温度を測定する。
【００３０】
内視鏡１２は、被検体内に挿入される長尺の挿入部１２ａ及びユニバーサルコード１２ｂが巻き回された状態で、小物洗浄かご２２の周囲を取り囲むようにして、ネット２１上に載置される。ユニバーサルコード１２ｂは、内視鏡１２から受信する撮像信号を処理するプロセッサや、内視鏡１２に内挿されたライトガイドに照明光を入力する光源装置に接続されるコードである。ユニバーサルコード１２ｂの一端には、プロセッサに接続するコネクタや、光源装置に接続するためのコネクタが設けられている。プロセッサに接続するコネクタには、電気的な導通を得るための接点部が設けられているため、洗浄の際には、防水キャップが取り付けられる。
【００３１】
挿入部１２ａには、送気・送水を行うための送気・送水チャンネル、鉗子などの処置具を挿通するための鉗子チャンネル、観察の障害となる体液や汚物等を吸引する吸引チャンネルが配設されている。送気・送水用のチャンネルは、一端が挿入部１２ａの先端の噴射ノズルに接続されており、他端は、挿入部に連設された操作部を経由してユニバーサルコード１２ｂ内へ延びている。鉗子チャンネルは、一端が挿入部１２ａの先端の鉗子出口に接続しており、他端が操作部１２ｃの鉗子入口に接続している。吸引チャンネルは、挿入部の先端の鉗子出口から鉗子入口に向けて分岐する分岐点までが鉗子チャンネルと共用されており、分岐点から操作部１２ｃを経由してユニバーサルコード１２ｂ内へ延びている。
【００３２】
洗浄槽１３の後方部分には、底面に、廃液口２６が設けられており、側面には、水位センサ２７が設けられている。廃液口２６は、洗浄槽１３から、使用済みの洗浄液や消毒液、及びすすぎに使用した水を排出する。水位センサ２７は、貯えられた液体の液面の位置（水位）を検知する。
【００３３】
洗浄槽１３の後方部分には、洗浄槽１３の底面よりも一段高いテラス部１３ｂ、１３ｃが設けられている。各テラス部１３ｂ、１３ｃは、後方部分の２つの角にそれぞれ設けられており、上方から見ると、略三角形状をしている。一方のテラス部１３ｂには、気密試験ポート２８が設けられている。気密試験ポート２８は、内視鏡１２の挿入部１２ａ及びユニバーサルコード１２ｂの外皮と内蔵物の隙間に圧縮空気を送り込み、外皮に液体が進入する小さな孔や亀裂が生じていないかを試験するためのポートである。気密試験ポート２８は、図示しないチューブを介して、ユニバーサルコード１２ｂのコネクタに設けられた気密試験用の口金と接続される。
【００３４】
また、テラス部１３ｂには、内視鏡１２の洗浄、消毒に用いる液体を洗浄槽１３内に供給する供給ポートが設けられている。供給ポートには、洗浄槽１３内に向けて屈曲された給水ノズル２９ａ、消毒液供給ノズル２９ｂ、洗剤供給ノズル２９ｃが設けられている。これらのノズル２９ａ〜２９ｃは、洗浄槽１３内に貯えられる液体の液面よりも高い位置に配置されている。
【００３５】
給水ノズル２９ａは、洗浄槽１３内に水を供給し、洗剤供給ノズル２９ｃは、洗剤タンク内に貯えられている洗剤を洗浄槽１３内に供給する。使用後の内視鏡１２に付着している体液や汚物は、水と洗剤とが混合された洗浄液により洗い流される。消毒液供給ノズル２９ｂは、消毒液タンク内に貯えられている消毒液を洗浄槽１３内に供給する。洗浄液で洗い流されなかった病原菌やウイルスは、消毒液により除去され、または病原性が消失される。
【００３６】
テラス部１３ｂの側面には、洗浄槽１３内に貯留された液体を循環させて、洗浄槽１３内の液体に水流を生じさせるための循環口３１が設けられている。循環口３１は、洗浄槽１３内の液体を、洗浄槽１３の下方に配置された循環用の配管に吸引する。給水ノズル２９ａ、天井洗浄ノズル２３、小物洗浄ノズル６１は、循環用のノズルとしても使用され、循環口３１から循環用の配管に吸引された液体は、各ノズル２９ａ、２３、６１から洗浄槽１３に再供給される。
【００３７】
テラス部１３ｃには、内視鏡１２の送気・送水チャンネル、吸引チャンネル及び鉗子チャンネル内の洗浄、消毒に用いられるチャンネル洗浄ポート３２が設けられている。チャンネル洗浄ポート３２は、送気・送水チャンネル用、吸引チャンネル及び鉗子チャンネル用の複数のポートが設けられている。各ポートは、接続チューブ６２（図３）を介して、送気・送水チャンネル及び吸引チャンネルのそれぞれに連通する、送気・送水ボタン及び吸引ボタンが装着される装着口と、鉗子チャンネルに連通する鉗子入口とに接続される。装着口と鉗子入口は内視鏡１２の操作部１２ｃに設けられている。チャンネル洗浄ポート３２は、水、洗浄液、消毒液、アルコール、及び圧縮空気等の流体を、送気・送水チャンネル、鉗子チャンネル及び吸引チャンネル内に供給する。
【００３８】
装置本体１１の前面パネル１７は、側端部がヒンジを介してシャーシに取り付けられており、開閉自在となっている。前面パネル１７内には、図示しない収納トレイが設けられている。収納トレイには、洗剤タンク８３（図３参照）及びアルコールタンク８６（図３参照）が収納されている。洗剤タンク８３には、内視鏡１２の洗浄に使用される洗剤が貯えられている。アルコールタンク８６には、内視鏡１２の洗浄、消毒後に、鉗子チャンネル等の各チャンネル内に流されるアルコールが貯えられている。前面パネル１７には、各タンク内の液体の残量視認用の透明窓３３が取り付けられている。
【００３９】
また、収納トレイには、消毒液（例えば、過酢酸、グルタールアルデヒド（ＧＡ）、オルトフタルアルデヒド（ＯＰＡ）など）の濃縮液を貯えた供給ボトルが交換可能に収納される。供給ボトルは、シャーシに備え付けられた消毒液タンク８４（図３参照）に接続され、濃縮液を消毒液タンク８４内に供給する。濃縮液は、消毒液タンク内において水で適正な濃度に希釈されて使用される。
【００４０】
符号３４は、洗浄履歴情報が印字されたプリントを排出する排紙口であり、排紙口３４の奥には、プリンタ１０５（図８参照）が配置されている。洗浄履歴情報は、例えば、洗浄を実施した日時、洗浄担当者名、洗浄した内視鏡１２のＩＤなどの情報である。洗浄履歴情報が印字されたプリントは、内視鏡１２の洗浄消毒結果の確認、管理等に用いられる。
【００４１】
上部パネル１９の前端部には、操作パネル３６が設けられている。操作パネル３６には、各種の操作指示を入力するための操作ボタン３７、各種表示を行うディスプレイ３８、及び読み取り部３９が設けられている。操作ボタン３７は、例えば、洗浄、消毒の開始を指示するスタートボタン、緊急停止を指示するためのストップボタン、ディスプレイ３８に表示される操作画面を操作するための操作キーからなる。
【００４２】
ディスプレイ３８は、例えば液晶ディスプレイ（ＬＣＤ）であり、洗浄プログラムを選択する選択画面や各種設定を行うための設定画面を含む操作画面を表示する他、洗浄・消毒処理の進捗状況や残り時間、トラブル発生時の警告メッセージ等を表示する。洗浄プログラムは、例えば、洗浄、消毒、すすぎの各工程を、どのような順序でそれぞれどの程度の時間実行するかといった洗浄処理の内容を規定する。洗浄プログラムは、洗浄、すすぎ、消毒、すすぎ、乾燥という順序で各工程を実行する標準的な洗浄プログラムの他、各工程を単独で実行する洗浄プログラムや、標準的な洗浄プログラムにおいて、洗浄時間や消毒時間が異なる複数の洗浄プログラムが用意されている。
【００４３】
読み取り部３９は、その内部にタグリーダ１０４（図８参照）が配置されている。タグリーダ１０４は、内視鏡１２に設けられたＲＦＩＤタグや、洗浄担当者のネームプレートに設けられたＲＦＩＤタグと非接触で通信してＲＦＩＤタグ内の情報（内視鏡１２のＩＤや洗浄担当者名など）を読み取る。
【００４４】
上部パネル１９は、洗浄槽１３の開口部１３ａを露出する開口１９ａが形成された枠形状をしている。洗浄槽１３の開口部１３ａの上端には、洗浄槽１３の垂直に立ち上がる側面と直交し、水平方向に延設された周縁部１３ｄが形成されている。周縁部１３ｄと上部パネル１９は、両者の境界から気体や液体が漏れる隙間が生じないように接合されている。上部パネル１９の開口１９ａの内縁には、液体が重力の作用によって洗浄槽１３に向かって流れるように、洗浄槽１３の開口部１３ａに向かって傾斜した斜面１９ｂが形成されている。
【００４５】
トップカバー１６は、例えば、プラスチックで形成された略矩形状の板状体で形成されたカバー本体４１と、カバー本体４１の洗浄槽１３と対面する下面側の外周部に取り付けられたパッキン４２とからなる。トップカバー１６は、カバー本体４１の後方から突出した取り付け部４３（図１参照）において装置本体１１に取り付けられており、取り付け部４３を支点として、洗浄槽１３の開口部１３ａを覆って閉じる閉じ位置と開口部１３ａを開放して露出させる開き位置との間で回動する。
【００４６】
トップカバー１６は、モータによって電動で開閉される。開閉の操作指示は、フットペダル４４の踏み込み操作によって入力される。フットペダル４４は、前面パネル１７の下方に配置されている。トップカバー１６が閉じているときにフットペダル４４を踏み込むとトップカバー１６が開き、開いているときに踏み込むと閉じる。
【００４７】
トップカバー１６の上面は、清掃がしやすいように、細かな凹凸の無い緩やかな曲面で構成されている。トップカバー１６の下面である天井は、天井洗浄ノズル２３から噴射された液体が、天井洗浄ノズル２３と対向する部分から周縁部までの天井の全面に行き渡るように、断面が、天井洗浄ノズル２３との対向部分を頂点として、上方に向かって凸型の緩やかな円弧状に形成されている。また、トップカバー１６の天井には、前方部分にネット４６が設けられている。ネット４６は、トップカバー１６が閉じたときに、洗浄槽１３の底面に配置されたネット２１と対向する位置に配置されている。ネット４６は、洗浄槽１３に収容された内視鏡１２を上方から押さえつけて、内視鏡１２を液面下に沈める。
【００４８】
カバー本体４１は、洗浄槽１３内の様子を外部から視認できるように、例えば、透明又は半透明のプラスチック材料で形成される。パッキン４２は、ゴムなどの弾性材料で形成されており、洗浄槽１３の開口部１３ａを気密及び水密に密閉する。パッキン４２は、洗浄槽１３の周縁部１３ｄ及び上部パネル１９の開口１９ａの内側面と圧接して、洗浄槽１３に供給された液体が外部に飛散すること、さらに、消毒液の臭気が外部に漏れることを防止する。
【００４９】
トップカバー１６の後方部分には、洗浄槽１３の内部と外部を連通する通気路４８（図１参照）が設けられている。洗浄槽１３の開口部１３ａは、パッキン４２によって密閉される。このため、トップカバー１６が閉じられている状態において、洗浄槽１３の液体が廃液口２６や循環口３１から排出されるときには、通気路４８を通じて、外部から洗浄槽１３内に外気が取り入れられる。
【００５０】
また、トップカバー１６が閉じ位置から開き位置への回動を開始する回動初期においては、パッキン４２によって開口部１３ａが密閉されているので、その状態でトップカバー１６が開き方向に回動すると、洗浄槽１３内が負圧になる。パッキン４２による開口部１３ａの密閉が解除されるまでの間、通気路４８を通じて外部から洗浄槽１３に外気が取り入れられる。これにより、洗浄槽１３の内外の気圧差が解消されて、トップカバー１６が開き方向に回動することができる。
【００５１】
トップカバー１６の上面には、消臭フイルタ４９が交換可能に装着されるフイルタ装着部５１が形成されている。フイルタ装着部５１には、通気路４８を構成するスリット５１ａが形成されている。消臭フイルタ４９は、上方からスリット５１ａを覆うようにフイルタ装着部５１に装着され、通気路４８内に配置される。消臭フイルタ４９は、通気路４８を通じて洗浄槽１３内から外部に排出される気体の臭気を消臭する。
【００５２】
フイルタ装着部５１には、消臭フイルタ４９を覆うフイルタカバー５２が開閉自在に設けられている。フイルタカバー５２には、スリット５２ａが形成されており、スリット５２ａは、スリット５１ａとともに通気路４８を構成する。スリット５１ａは、断面がクランク状に屈曲して形成されており、洗浄槽１３内の液体がスリット５１ａを通じて消臭フイルタ４９に飛散することを防止している。
【００５３】
図３に示すように、洗浄槽１３の下面には、ラバーヒータ５６が取り付けられている。ラバーヒータ５６は、洗浄槽１３を介して、洗浄槽１３内に貯えられた液体を加熱する。液体の温度は、温度センサ（ＴＥ）５７によって測定されて、測定された温度に基づいてラバーヒータ５６が制御される。洗浄液や消毒液は、温度によって洗浄効果や消毒効果が変動するため、ラバーヒータ５６によって適正な温度に調節される。
【００５４】
また、洗浄槽１３の下面には、振動板５９を介して超音波振動子５８が取り付けられている。振動板５９は、円板形状をしており、超音波振動子５８は、振動板５９の周方向に沿って複数個配列されている。超音波振動子５８は、洗浄槽１３を振動させることで、洗浄槽１３内に貯留された液体を振動させて、内視鏡１２を超音波洗浄する。超音波振動子５８によって液体が振動すると、液体に微細な泡が発生し、その泡の破裂に伴うエネルギーによって物体の表面から汚れが浮き上る。
【００５５】
接続チューブ６２は、チャンネル洗浄ポート３２と、内視鏡１２の各チャンネルを接続するためのものである。接続チューブ６２の一端には、内視鏡１２に接続チューブ６２を装着するためのアタッチメント（図示せず）が設けられている。
【００５６】
洗浄消毒装置１０の配管系統は、大きく分けて、水道設備の蛇口７１からの水を洗浄槽１３に供給する給水経路と、洗剤、消毒液、アルコール、圧縮空気を洗浄槽１３にそれぞれ供給するための供給ポンプ（ＳＰ）７２、７３、７４、７５が配置される供給経路と、循環口３１から洗浄槽１３内の液体を吸引して洗浄槽１３に再供給するための循環ポンプ（ＣＰ）７６、７７が配置される循環経路と、廃液口２６から洗浄槽１３内の液体を排出する排出経路からなる。
【００５７】
給水経路は、蛇口７１とホースで接続される給水口７８から給水ノズル２９ａに至る経路であり、給水経路には、バルブ（Ｖ）７９、水フイルタ８１、バルブ８２が給水方向に沿って順に配置されている。バルブ７９は、給水口７８と水フイルタ８１の間の経路を開閉して水の供給と停止を切り替える給水弁として機能する電磁弁である。
【００５８】
水フイルタ８１は、水道水に含まれる異物や細菌を捕捉して水道水を濾過する浄水フイルタである。医療器具である内視鏡１２の洗浄消毒装置１０では、高い浄水能力が求められるため、水フイルタ８１には、酵素などの細菌作用を持つ物質が含有されたグレードの高い、比較的高価な浄水フイルタが用いられる。バルブ８２は、バルブ８２から給水ノズル２９ａに通じる経路を、蛇口７１に通じる給水経路と循環ポンプ７６に通じる循環経路のいずれかと選択的に接続するための三方電磁弁である。
【００５９】
供給ポンプ７２は、洗剤を貯留する洗剤タンク８３と洗剤供給ノズル２９ｃとを接続する供給経路上に配置されており、洗剤タンク８３から洗剤を吸い上げて洗剤供給ノズル２９ｃに供給する。供給ポンプ７３は、消毒液を貯留する消毒液タンク８４と消毒液供給ノズル２９ｂとを接続する供給経路上に配置されており、消毒液タンク８４から消毒液を吸い上げて消毒液供給ノズル２９ｂに供給する。
【００６０】
供給ポンプ７４は、アルコールを貯留するアルコールタンク８６を供給する供給経路上に配置されており、アルコールタンク８６からアルコールを吸い上げる。アルコールの供給経路は、供給ポンプ７４の下流側において、チャンネル洗浄ポート３２へ通じる経路と小物洗浄ノズル６１へ通じる経路の２つの経路に分岐しており、供給ポンプ７４が吸い上げたアルコールは、それぞれの経路を経て、チャンネル洗浄ポート３２と小物洗浄ノズル６１に供給される。
【００６１】
エアポンプ７５は、大気を圧縮して、圧縮空気をチャンネル洗浄ポート３２及び小物洗浄ノズル６１に供給する供給経路上に配置されている。エアポンプ７５の下流側には、大気中に雑菌を補足して大気を浄化するエアフイルタ８７が配置されている。エアフイルタ８７の下流側には、バルブ８８が配置されている。
【００６２】
バルブ８８は、バルブ８８からチャンネル洗浄ポート３２及び小物洗浄ノズル６１へ通じる経路を、エアポンプ７５に通じる大気を供給する経路と、循環ポンプ７７に通じる経路のいずれかと選択的に接続するための三方電磁弁である。チャンネル洗浄ポート３２及び小物洗浄ノズル６１のそれぞれとバルブ８２を接続する経路上には、チャンネル洗浄ポート３２、小物洗浄ノズル６１のそれぞれに通じる経路を開閉するバルブ８９、９１が配置されている。
【００６３】
循環口３１に一端が接続される循環経路は、循環ポンプ７６へ通じる経路と、循環ポンプ７７へ通じる２つの経路に分岐している。循環ポンプ７６の下流側の経路は、さらに、バルブ８２に通じる経路とバルブ９２に通じる経路に分岐している。バルブ９２は、循環ポンプ７６と天井洗浄ノズル２３とを接続する経路を開閉する電磁弁である。循環ポンプ７６によって吸引された液体は、バルブ８２及びバルブ９２を経て給水ノズル２９ａ、天井洗浄ノズル２３に供給される。循環ポンプ７７の下流側の経路は、バルブ８８に接続している。循環ポンプ７７によって吸引された液体は、バルブ８８からバルブ８９及びバルブ９１を経て、チャンネル洗浄ポート３２及び小物洗浄ノズル６１に供給される。
【００６４】
廃液口２６に一端が接続される排出経路は、切り替えバルブ９３に接続されている。切り替えバルブ９３の下流側は、排出ポンプ（ＤＰ）９４へ通じる経路と、消毒液タンク８４へ通じる経路の２つの経路に分岐している。排出ポンプ９４は、廃液口２６から排出される液体を吸引して、装置外の下水へ廃液として排出する。切り替えバルブ９３は、廃液口２６から切り替えバルブ９３の下流側への液体の排出を停止する閉じ状態と、廃液口２６から排出ポンプ９４へ通じる経路を開く状態と、廃液口２６から消毒液タンク８４へ通じる経路を開く状態の３つの状態を選択的に切り替える電磁弁である。
【００６５】
洗浄槽１３に供給された洗浄液や水は、１回使用された後、排出ポンプ９４によって吸引されて装置外へ排出される。一方、消毒液は、複数回使用することが可能であるため、消毒能力が消失するまでの間、使用後の消毒液は、廃液口２６から切り替えバルブ９３を経由して消毒液タンク８４に戻される。切り替えバルブ９３は、消毒液を消毒液タンク８４に戻すために設けられている。消毒液は激臭を放つため、洗浄液や水と同様に下水に排出することができない。消毒液タンク８４には、図示しない排出口が設けられており、所定回数使用された消毒液は、消毒液タンク８４の排出口から回収される。
【００６６】
図４〜７のフローチャートを参照しながら洗浄消毒処理の手順を説明する。図４のフローチャートに示すように、標準的な洗浄プログラムが選択された場合には、洗浄消毒装置１０は、洗浄消毒開始指示が入力されると（Ｓ（ステップ）１０）、洗浄工程（Ｓ２０）、すすぎ工程（Ｓ３０）、消毒工程（Ｓ４０）、すすぎ工程（Ｓ５０）、乾燥工程（Ｓ６０）を順次実行する。
【００６７】
図５のフローチャートに示すように、洗浄工程（Ｓ２０）は、超音波洗浄と、洗浄液による洗浄（以下、本洗浄という）のサブ工程に分けられる。洗浄工程（Ｓ２０）では、まず、バルブ８２が、バルブ７９と給水ノズル２９ａを接続する状態に切り替えられた状態で、バルブ７９が開かれて給水が実行される（Ｓ２１）。水位センサ２７が洗浄槽１３に適量の水が満たされたことを検知すると、バルブ７９が閉じられることにより給水が停止する。そして、超音波振動子５８が所定時間作動して超音波洗浄が行われる（Ｓ２２）。超音波洗浄が終了すると、本洗浄が開始される。
【００６８】
本洗浄では、まず、供給ポンプ７２が作動して洗剤タンク８３から洗剤供給ノズル２９ｃを通じて洗浄槽１３に洗剤が供給される（Ｓ２３）。洗浄槽１３内で水と洗剤が混合されて洗浄液が生成される。洗浄液は、ラバーヒータ５６によって加熱されて適正な温度に調節される。給水と洗剤供給が終了すると、洗浄液の循環が行われる（Ｓ２４）。洗浄液の循環では、まず、切り替えバルブ９３が閉じられて、バルブ８２によって循環ポンプ７６と給水ノズル２９ａへ通じる経路が開かれるとともに、バルブ９２によって循環ポンプ７６から天井洗浄ノズル２３に通じる経路が開かれる。さらに、バルブ８９、９１によってチャンネル洗浄ポート３２及び小物洗浄ノズル６１に通じる経路が開かれる。
【００６９】
この状態で、循環ポンプ７６、７７が作動して、循環口３１から吸引された洗浄液が、給水ノズル２９ａ、天井洗浄ノズル２３、チャンネル洗浄ポート３２、小物洗浄ノズル６１を通じて洗浄槽１３に再供給される。こうした循環により洗浄槽１３内に水流が発生する。この水流によって内視鏡１２の汚れが洗い流される。
【００７０】
チャンネル洗浄ポート３２から供給される洗浄液は、内視鏡１２の各チャンネルを通って内部の汚れを洗い流し、挿入部の先端のノズル、鉗子出口等から洗浄槽１３に放出される。小物洗浄ノズル６１は小物洗浄かご２２内の小物部品に向けて洗浄液を噴射して小物部品の汚れを洗い流す。天井洗浄ノズル２３は天井に向けて洗浄液を噴射して、天井の汚れを洗い流す。洗浄液の循環が終了すると、排出ポンプ９４によって使用済みの洗浄液が排出される（Ｓ２５）。
【００７１】
洗浄工程が終了すると、内視鏡１２の外表面や各チャンネルに付着した洗浄液を洗い流すすすぎ工程（Ｓ３０）が行われる。図６のフローチャートに示すように、すすぎ工程は、給水（Ｓ３１）、循環（Ｓ３２）、排水（Ｓ３３）のサブ工程からなる。バルブ７９が開かれると給水口７８から給水が行われ、洗浄槽１３に水が貯留される。給水終了後、洗浄工程と同様に、循環ポンプ７６、７７が作動して水の循環が所定時間行われる。
【００７２】
図４において、消毒工程（Ｓ４０）では、供給ポンプ７３が作動して消毒液タンク８４から消毒液供給ノズル２９ｂを通じて洗浄槽１３に消毒液が供給される。消毒液は、ラバーヒータ５６によって加熱されて適正な温度に調節される。そして、洗浄工程の循環と同様に、循環ポンプ７６、７７が作動して消毒液の循環が所定時間行われる。循環が終了すると、切り替えバルブ９３によって消毒液タンク８４に通じる経路が選択されて、消毒液が廃液口２６から消毒液タンク８４に戻される。
【００７３】
消毒工程が終了すると、内視鏡１２の外表面や各チャンネルに付着した消毒液を洗い流すすすぎ工程（Ｓ５０）が行われる。図７のフローチャートに示すように、すすぎ工程（Ｓ５０）は、すすぎ工程（Ｓ３０）と同様の処理が行われるが、消毒液を十分に洗い流すためにすすぎ工程（Ｓ３０）が規定回数（Ｎ回）連続して繰り返される。
【００７４】
洗浄消毒装置１０は、すすぎ工程（Ｓ５０）を実行する際に、すすぎ工程（Ｓ３０）の回数をカウントするカウンタを「０」にリセットする（Ｓ５１）。そして、Ｓ５２において、カウンタをインクリメントして、カウント値を「１」にする。この後、すすぎ工程（Ｓ３０）を実行する（Ｓ５３）。Ｓ５３が終了すると、カウンタ値と規定回数Ｎを比較し（Ｓ５４）、カウンタ値が規定回数Ｎに達していない場合には（Ｓ５４でＮ）、Ｓ５１に戻り、すすぎ工程（Ｓ３０）を繰り返す。こうした処理が、カウンタ値が規定回数Ｎに到達するまで繰り返される。カウンタ値が規定回数Ｎに達した場合はすすぎ工程（Ｓ５０）を終了する。
【００７５】
図４において、乾燥工程（Ｓ６０）では、バルブ８９、９２を開いてチャンネル洗浄ポート３２、小物洗浄ノズル６１へ通じる経路が開かれる。供給ポンプ７４が作動して、アルコールタンク８６からアルコールが吸引されて、吸引されたアルコールがチャンネル洗浄ポート３２及び小物洗浄ノズル６１を通じて、内視鏡１２の各チャンネル及び小物部品に吹き付けられる。
【００７６】
この後、バルブ８８によってエアポンプ７５からバルブ８９、９１へ通じる経路が選択されて、エアポンプ７５が作動する。エアポンプ７５が作動すると、チャンネル洗浄ポート３２及び小物洗浄ノズル６１から、各チャンネル及び小物部品に圧縮空気が吹き付けられて、アルコールとともに各チャンネル内及び小物部品の外表面に付着した水滴がアルコールとともに吹き飛ばされる。また、アルコールは揮発性が高いため、アルコールの気化熱によって表面に付着した水分を蒸発させる。こうして内視鏡１２の各チャンネル及び小物部品が乾燥される。
【００７７】
図８に示すように、洗浄消毒装置１０は、複数の電気部品を備えており、これらは装置全体を統括的に制御するＣＰＵ１０１に接続されている。ＲＯＭ１０２は、装置全体の制御に用いられる制御プログラムの他、上述の洗浄プログラムの内容が記述されたデータなど、予め設定された各種制御情報を格納している。
【００７８】
ＲＡＭ１０３は、ＲＯＭ１０２からロードした制御プログラムなどの実行領域である。ＥＥＰＲＯＭ１０４は、装置ＩＤ、各種設定情報、各種制御情報等の他、洗浄履歴情報を記憶している。装置ＩＤは、個々の洗浄消毒装置１０に付された識別情報である。装置ＩＤは、製造時に付与された製造番号やシリアルナンバー、洗浄消毒装置１０を使用する病院内で複数台の装置を識別するために付与された識別番号である。設定情報には、後述する給水異常を判定するための閾値や係数などの情報が含まれる。
【００７９】
洗浄履歴情報は、上述した通り、洗浄を実施した日時、洗浄担当者名、洗浄した内視鏡１２のＩＤなどの情報であり、この他、消毒液の使用回数や消毒液温度、個々の内視鏡１２の識別情報であるスコープＩＤが含まれる。プリンタ１０５は、記録紙に洗浄履歴情報を印字して、印字したプリントを排紙口３４から排出する。スピーカ１１３は、音声等による警告を出力する。ネットワークＩ／Ｆ１０６は、ＬＡＮなどのネットワークに接続して通信制御を行うためのインターフェースである。
【００８０】
図９に示すように、大規模な医療施設では、内視鏡を洗浄する洗浄室に、複数台の洗浄消毒装置１０が設置されている。本例においては、装置ＩＤが１〜４の４台の洗浄消毒装置１０が設置されている。複数台の洗浄消毒装置１０は、例えば、ＬＡＮ１１６に接続されており、ＬＡＮ１１６を介して情報管理装置１１８と通信可能に接続される。情報管理装置１１８は、例えば、複数台の洗浄消毒装置１０の洗浄履歴情報や、後述する給水ステータス情報を、ＬＡＮを経由して収集し、それらの情報を集約的に管理するものである。
【００８１】
複数台の洗浄消毒装置１０は、蛇口７１、水道管１１９、給水ポンプなどから構成される医療施設に設置された水道設備１２０を共用している。それぞれの給水口７８は、洗浄室に敷設された水道管１１９から分岐する複数の蛇口７１のそれぞれに接続されている。そのため、１台の洗浄消毒装置１０の給水口７１にかかる水圧は、他の洗浄消毒装置１０が同時に給水を実行しているか否か、同時に給水を実行している台数が何台かといった給水実行状況によって変動し、単位時間当たりの給水量も変動する。この変動は、洗浄槽１３に所定量の水を貯留するための給水時間に影響する。
【００８２】
情報管理装置１１８は、パーソナルコンピュータやワークステーションなどのコンピュータで構成される。情報管理装置１１８は、各洗浄消毒装置１０の給水実行状況を表す給水ステータス情報を収集し、各洗浄消毒装置１０に対して収集した給水ステータス情報を配信する。給水ステータス情報は、各洗浄消毒装置１０が、給水弁であるバルブ７９を開いて給水を開始したことを表す給水開始情報、バルブ７９を閉じて給水を終了したことを表す給水終了情報、さらに、給水を実行中であることを表す情報を含んでおり、どの装置の情報であるかを識別できるように装置ＩＤが付与されている。後述するように、各洗浄消毒装置１０は、それぞれの給水経路に配置される水フイルタ８１の目詰まりによる給水異常の判定に、情報管理装置１１８から取得した他の洗浄消毒装置１０の給水ステータス情報を使用する。
【００８３】
図８において、ＣＰＵ１０１には、水位センサ２７、温度センサ５７が接続されており、各センサ２７、５７は、水位検知信号や温度情報をＣＰＵ１０１に出力する。タイマ１０７は、時計回路などからの計時信号に基づいて、任意の時点からの経過時間ｔを計測する。カウンタ１０８は、処理の繰り返し回数などのカウントに用いられる。さらに、ＣＰＵ１０１には、供給ポンプ７２〜７４、循環ポンプ７６、７７、バルブ７９、８１、８２、８８、８９、９１、９２、９３、ラバーヒータ５６、超音波振動子５８からなる洗浄消毒処理機構を駆動するためのポンプ駆動部１０９、バルブ駆動部１１０、ヒータ駆動部１１１、超音波振動子駆動部１１２が接続されている。
【００８４】
図１０に示すように、水位センサ２７は、洗浄や消毒に必要な適正な液量に応じた適正水位である水位ＬＭと、水位ＬＭよりも低い水位ＬＬと、水位ＬＭよりも高い水位ＬＨの３つの水位を検知し、検知した水位に応じた検知信号を出力するレベルセンサである。
【００８５】
水位センサ２７としては、例えば、液体が接触すると電流が流れる電極を有する電極式のレベルセンサが使用される。電極式のセンサとしては、長さが異なる複数本の電極を有し、各電極によって、高さが異なる複数の液面の位置（水位）を検知可能なセンサであり、複数本の電極を１ユニットに収容した多点検知型のものが知られている。検知可能な水位が異なる複数ユニットのレベルセンサを設ける場合と比べて、設置スペースを省スペース化できるため、水位センサ２７としては、多点検知型のセンサを使用することが好ましい。もちろん、設置スペースに余裕があれば、複数ユニットのレベルセンサを設けてもよい。
【００８６】
また、レベルセンサとしては、電極式の他に、液面に応じてフロートが上下動するフロートスイッチ式のものも知られており、これを水位センサ２７に使用してもよい。フロートスイッチ式のレベルセンサで、多点検知型のものがあればそれを用いてもよい。
【００８７】
水位ＬＨは、洗浄槽１３に貯えられる水などの液体が適正水位を超えて洗浄槽１３から溢れ出るのを防止するためのオーバフロー検知用の水位である。水位ＬＨが検知された場合には、バルブ７９を閉じて給水を停止し、排出ポンプ９４を作動させて廃液口２４から排出するといった処理が行われる。水位ＬＬは、水道設備の開栓忘れによる給水異常を検知するための水位である。
【００８８】
ＣＰＵ１０１は、水位センサ２７が水位ＬＭと水位ＬＬの２つの水位を検知したときに出力する第１及び第２の検知信号と、タイマ１０７によって計測される経過時間ｔに基づいて、水道設備の開栓忘れによる給水異常と水フイルタ８１の目詰まりによる給水異常の２種類の給水異常を判定し、警告を行う。
【００８９】
図１１のグラフにおいて、横軸は、バルブ７９が開かれる給水開始時点からの経過時間ｔを表し、縦軸は、洗浄槽１３内に貯えられる水の水位Ｌを表している。第１所定時間Ｔｈ（ＬＭ）は、空の状態の洗浄槽１３に給水する場合において、給水開始時点から、水位Ｌが適正な水位ＬＭに到達するまでの給水時間Ｔとして許容される限界値であり、水フイルタ８１の目詰まりによる給水異常を検知するための閾値である。第１所定時間Ｔｈ（ＬＭ）は、例えば、約１８０秒（３分）に設定されている。
【００９０】
１台の洗浄消毒装置１０が給水中に、水道設備１２０を共用する他の洗浄消毒装置１０が同時に給水を実行すれば、給水量が減少し、給水時間Ｔの時間的な遅延として現れる。また、水フイルタ８１の目詰まりが進行すると、給水時間Ｔの時間的な遅延が増加する。したがって、水フイルタ８１の目詰まりの進行状態が同一であっても、給水時間Ｔは、他の洗浄消毒装置１０が同時に給水を実行しているか否かという給水実行状況によって変動する。
【００９１】
グラフＧ１及びグラフＧ２は、給水開始から水位Ｌが水位ＬＭに到達するまでの給水時間Ｔ及び水位変化を表す例である。グラフＧ１及びグラフＧ２は、他の洗浄消毒装置１０の給水実行状況による影響が無い状態、すなわち、１台の洗浄消毒装置１０が給水を実行する全期間の間、単独で給水を実行させて測定したものである。
【００９２】
グラフＧ１は、水フイルタ８１を新品のものに交換した直後に測定したものであり、水フイルタ８１の目詰まりが無い正常な状態の例を示す。したがって、グラフＧ１は、水道設備１２０の性能のみによって決まる値である。交換直後においては、給水時間Ｔ（Ｇ１）は、第１所定時間Ｔｈ（ＬＭ）以内である。給水時間Ｔ（Ｇ１）は、本例においては約５０秒として説明する。
【００９３】
グラフＧ２は、給水時間Ｔ（Ｇ２）が、第１所定時間Ｔｈ（ＬＭ）を超える場合の例である。水フイルタ８１の目詰まりが進むと、単位時間当たりの給水量（グラフの傾きに相当）が減少して、グラフＧ１の状態からグラフＧ２のように傾きが小さくなり、給水時間Ｔが遅延して第１所定時間Ｔｈ（ＬＭ）を超える。
【００９４】
第１所定時間Ｔｈ（ＬＭ）は、洗浄消毒装置１０が給水を全期間に渡って単独で実行した場合を想定した時間である。給水時間Ｔに他の洗浄消毒装置１０の給水実行状況による時間的な遅延分が含まれていると、給水時間Ｔと第１所定時間Ｔｈを比較しても、水フイルタ８１の目詰まりによる給水異常を正確に判定できない。後述するように、本発明の洗浄消毒装置１０は、測定した給水時間Ｔから、他の洗浄消毒装置１０の給水実行状況による給水時間Ｔの時間的な遅延分を除去して、水フイルタ８１の目詰まりによる時間的な遅延を表す評価値Ｆを算出し、その評価値と第１所定時間Ｔｈ（ＬＭ）に対応する閾値Ｆｔｈとを比較して、目詰まりによる給水異常を判定する。
【００９５】
目詰まりによる給水異常と判定された場合には、図１２（Ａ）に示すように、水フイルタ８１の目詰まりが進み、水フイルタ８１の交換時期が到来したこと、水フイルタ８１を交換すべきことなどを表す警告メッセージ１２６が、操作パネル３６のディスプレイ３８（図１参照）に表示される。目詰まりによる給水異常が発生した場合には、洗浄消毒装置１０は、処理を中止して操作指示を待つ待機状態に移行する。
【００９６】
図１１において、第２所定時間Ｔｈ（ＬＬ）は、空の状態の洗浄槽１３に給水する場合において、給水開始時点から、水位Ｌが水位ＬＬに到達するまでの時間として許容される限界値であり、水道設備１２０の開栓忘れによる給水異常を検知するための閾値である。水道設備１２０の開栓忘れの場合には、蛇口７１や元栓が閉まっていて、蛇口７１から給水口７８に水が供給されないので、時間が経過しても洗浄槽１３の水位Ｌは水位ＬＬに到達しない。このため、水道設備１２０の開栓忘れによる給水異常が発生した場合は、その旨をできるだけ早く通知する必要性が高い。
【００９７】
洗浄消毒装置１０では、できるだけ早いタイミングで開栓忘れによる給水異常の警告を出すように、第２所定時間Ｔｈ（ＬＬ）は、第１所定時間Ｔｈ（ＬＭ）よりも、短い時間に設定されている。具体的には、第１所定時間Ｔｈ（ＬＭ）が約１８０秒であるのに対して、第２所定時間Ｔｈ（ＬＬ）は、約１０秒である。水位ＬＬは、水道設備１２０の開栓忘れがなく水が供給される場合には、空の洗浄槽１３への給水開始から第２所定時間Ｔｈ（ＬＬ）以内に、水位Ｌが到達可能な高さに設定されている。
【００９８】
給水開始からの経過時間ｔが第２所定時間Ｔｈ（ＬＬ）を超えても、水位Ｌが水位ＬＬに到達しない場合、換言すれば、第２所定時間Ｔｈ（ＬＬ）以内に、水位センサ２７が水位ＬＬを検知したときに出力する第２検知信号が無い場合には、洗浄槽１３に水が供給されていない可能性が高いので、水道設備１２０の開栓忘れによる給水異常と判定される。この場合には、図１２（Ｂ）に示すように、開栓忘れのため給水が開始されないこと、蛇口７１や元栓を開放すべきことを表す警告メッセージ１２７がディスプレイ３８に表示される。
【００９９】
第３所定時間Ｔｈ（ＬＭＷ）は、水フイルタ８１の交換時期が到来する前に、交換時期が近づいたことを予告するタイミングを判定するための閾値であり、第１所定時間Ｔｈ（ＬＭ）よりも短い時間に設定されている。グラフＧ３は、給水時間Ｔ（Ｇ３）が、第１所定時間Ｔｈ（ＬＭ）以内に水位Ｌが水位ＬＭに到達したが、その給水時間Ｔ（Ｇ３）が、第３所定時間Ｔｈ（ＬＭＷ）以上になった場合の例である。
【０１００】
第３所定時間Ｔｈ（ＬＭＷ）も、第１所定時間Ｔｈ（ＬＭ）と同様に、洗浄消毒装置１０が給水を全期間に渡って単独実行した場合を想定した時間である。このため、洗浄消毒装置１０は、第１所定時間Ｔｈ（ＬＭ）と同様に、給水時間Ｔから求めた評価値Ｆと第３所定時間Ｔｈ（ＬＭＷ）に対応する閾値とを比較して、予告するタイミングを判定する。
【０１０１】
予告するタイミングが到来した場合には、図１２（Ｃ）に示すように、水フイルタ８１の交換時期が近づいていることを予告する警告メッセージ１２８がディスプレイ３８に表示される。予告の警告メッセージ１２８を出すことによって、予備の水フイルタ８１の手配など交換作業の準備を行うことができる。
【０１０２】
図１１においては、１台の洗浄消毒装置１０の給水を全期間に渡って単独実行させた場合の例で説明したが、複数台の洗浄消毒装置１０が併設されている場合（図９参照）には、図１３のタイミングチャートに示すように、１台の洗浄消毒装置１０が給水を実行している間に、他の洗浄消毒装置１０が同時に給水を実行する場合がある。
【０１０３】
図１３のタイミングチャートは、「ＩＤ１」の１台の洗浄消毒装置１０の給水中に、「ＩＤ２」〜「ＩＤ４」の他の洗浄消毒装置１０の少なくとも１台が同時に給水を実行する例を示している。「ＩＤ１」の洗浄消毒装置１０が給水を開始した時点では、他に給水を実行中の洗浄消毒装置１０は無いため、給水は単独で開始される。給水開始後、「ＩＤ４」の洗浄消毒装置１０が給水を開始する。「ＩＤ１」の洗浄消毒装置１０が単独で給水を行う単独実行の状態が終了し、「ＩＤ１」と「ＩＤ４」の２台の洗浄消毒装置１０が同時に給水する２台同時実行の状態になる。
【０１０４】
さらに、「ＩＤ３」の洗浄消毒装置１０が給水を開始して３台同時実行の状態になり、さらに「ＩＤ２」の洗浄消毒装置１０が給水を開始して４台同時実行の状態になる。その後「ＩＤ４」の洗浄消毒装置１０が給水を終了して３台同時実行の状態に戻り、その状態で、「ＩＤ１」の洗浄消毒装置１０の給水が終了する。時間ＳＴ（１）〜ＳＴ（４）の括弧内の数字は、給水を同時に実行する台数を表し、時間ＳＴ（１）は、１台の洗浄消毒装置１０が単独で給水を実行する単独実行時間であり、ＳＴ（２）〜ＳＴ（４）は、それぞれ２台〜４台の同時実行時間である。
【０１０５】
図１４に示すグラフＧ４は、図１３の例における、「ＩＤ１」の洗浄消毒装置１０の給水時間Ｔ（Ｇ４）とその水位変化を表す。グラフＧ４に示すように、同時に給水を実行する同時実行台数が増える毎に、単位時間当たりの給水量（グラフの傾き）は減少する。時間ＳＴ（１）で示される単独実行期間において最も傾きが大きく（単位時間の給水量が最も大きく）、時間ＳＴ（４）で示される４台同時実行期間において最も傾きが小さい（単位時間の給水量が最も小さい）。
【０１０６】
グラフＧ４は、グラフＧ１と同様に、水フイルタ８１の交換直後に水位ＬＭまでの給水時間を測定したものであり、グラフＧ１と異なる点は、グラフＧ１では、１台の洗浄消毒装置１０が全期間に渡って給水を単独実行しているのに対して、グラフＧ４では、他の洗浄消毒装置１０が給水を同時実行する期間が含まれている点である。したがって、グラフＧ１の給水時間Ｔ（Ｇ１）とグラフＧ４の給水時間Ｔ（Ｇ４）の差ΔＴｄは、他の洗浄消毒装置１０の給水実行状況に起因する時間的な遅延を表す。
【０１０７】
洗浄消毒装置１０のＥＥＰＲＯＭ１０４は、図１５に示す給水時間係数テーブル１３１を記憶している。給水時間係数α（ｉ）は、同時実行に起因する時間的な遅延を単独実行の場合を基準として割合で表したものであり、洗浄消毒装置１０の給水を単独実行した場合に測定した給水時間Ｔを基準として、給水を同時に実行する台数のみを変化させた場合の給水時間Ｔがどの程度遅延するかを表したものである。ここで、「ｉ」は、同時実行台数を表し、「１」の場合は単独実行であることを表す。
【０１０８】
給水時間係数α（ｉ）は、次のようにして求められる。まず、洗浄消毒装置１０の給水を、給水中の全期間に渡って単独で実行させて、洗浄槽１３が空の状態から所定の水位に到達するまでの給水時間Ｔを測定する。単独実行で測定した給水時間Ｔが基準値Ｔ０となる。次に、全期間に渡って２台同時に給水を実行させ、同じ水位に到達するまでの給水時間Ｔを測定する。同様に、３台、４台と台数のみを変化させてそれぞれの給水時間Ｔを測定する。複数台同時実行させて測定したそれぞれの給水時間Ｔを、基準値Ｔ０で割って、同時実行給水時間係数α（２）、α（３）、α（４）を求める。
【０１０９】
本例において、単独実行した場合の単独実行給水時間係数α（１）を「１」とすると、給水時間係数α（２）は、「１．１１」である。これは、単独実行の場合と比べて、２台同時実行の場合には、給水時間が１．１１倍に延びることを意味する。同様に、同時実行台数が３台の場合の給水時間係数α（３）は、「１．２５」であり、４台の場合の給水時間係数α（４）は、「１．４５」である。
【０１１０】
給水時間係数α（ｉ）は、図１６に示す設定画面１３２から入力される。設定画面１３２は、操作パネル３６のディスプレイ３８に表示される操作画面であり、メンテナンスモードが選択されたときに表示される。洗浄消毒装置１０をメンテナンスする作業者は、洗浄消毒装置１０の設置時や水フイルタ８１の交換時に、給水時間係数α（ｉ）を設定画面１３で設定する。設定された値が、給水時間係数テーブル１３１に登録される。
【０１１１】
設定画面１３２には、給水時間係数（ｉ）を設定するための設定ボックス１３２ｂと、給水時間Ｔの基準値Ｔ０を設定するための設定ボックス１３２ａが設けられている。水フイルタ８１の交換直後に、洗浄消毒装置１０の給水を単独実行させて水位ＬＭに到達するまで給水を行った場合の測定値（給水時間Ｔ（Ｇ１））が入力される。本例において、給水時間Ｔ（Ｇ１）は、上述の通り５０．０秒である。
【０１１２】
同様の条件で、２〜４台の台数毎に同時実行させた場合のそれぞれの給水時間Ｔの測定値は、本例において、５５．０秒、６２．５秒、７１．５秒である。これらの測定値が設定ボックス１３２ｂの測定値欄に入力される。単独実行させたときの測定値欄には、基準値Ｔ０に設定された値（５０．０秒）が自動的に入力される。ＣＰＵ１０１は、入力された２〜４台の台数毎の測定値を、単独実行させたときの測定値（５０．０秒）で割ることで、それぞれの給水時間係数α（ｉ）を自動計算する。
【０１１３】
次に、評価値Ｆを算出する手順を、図１７に示すフローチャートを参照しながら説明する。評価値Ｆは、水フイルタ８１の目詰まりによる時間的な遅延を表すもので、単独実行給水時間係数α（１）に対する割合で表した評価値Ｆｐと、単独実行した場合の給水時間Ｔの基準値Ｔ０に対する遅延を時間で表した評価値Ｆｔの２つがある。給水異常の判定に当たっては、評価値Ｆｐ、Ｆｔのいずれかを使用する。図１７のフローチャートは、評価値Ｆｐの算出手順を示す。
【０１１４】
ＣＰＵ１０１は、給水開始から給水終了までの給水を実行する期間中、ネットワークＩ／Ｆ１０６を介して情報管理装置１１８と通信を行って、自身の給水開始情報及び給水終了情報と、他の洗浄消毒装置１０の給水ステータス情報の送受信をリアルタイムで行う。ＣＰＵ１０１は、情報管理装置１１８から受信する給水ステータス情報をタイマ１０７で計測する経過時間ｔと対応付けて、ＲＡＭ１０３に記録する。
【０１１５】
ＣＰＵ１０１は、記録した給水ステータス情報に基づいて、水道設備１２０を共用する他のすべての洗浄消毒装置１０の給水実行状況を表すタイムテーブルを作成する（Ｓ１６１）。タイムテーブルは、図１３のタイミングチャートで表される内容を、給水の開始及び終了といったイベントを装置ＩＤ毎に時系列で配列して表したものであり、自身の給水開始から終了までの給水時間Ｔの期間中に、他のどの洗浄消毒装置１０がどの時点で給水を開始し、どの時点で給水を終了したかを表すものである。
【０１１６】
ＣＰＵ１０１は、作成したタイムテーブルに基づいて、給水時間Ｔにおける、単独実行時間ＳＴ（１）及び台数毎の同時実行時間ＳＴ（２）〜（４）を算出する（Ｓ１６２）。次に、各実行時間ＳＴ（１）〜ＳＴ（４）を、それらが給水時間Ｔに占める割合である、各実行時間比率ｒ（１）〜（４）に換算する（Ｓ１６３）。換算式は、次式（１）である。
実行時間比率ｒ（ｉ）＝給水時間Ｔ／実行時間ＳＴ（ｉ）・・・・式（１）
【０１１７】
そして、次式（２）の演算を行って、給水時間係数テーブル１３１から読み出した台数毎の給水時間係数α（１）〜（４）を、各実行時間比率ｒ（１）〜（４）で重み付けして平均した加重平均値αｗａｖを算出する（Ｓ１６４）。
給水時間係数の加重平均値αｗａｖ＝Σα（ｉ）×ｒ（ｉ）・・・式（２）
【０１１８】
加重平均値αｗａｖは、給水時間Ｔにおける他のすべての洗浄消毒装置１０の給水実行状況を反映した給水時間係数である。この給水時間係数の加重平均値αｗａｖ、給水時間Ｔ及び基準値Ｔ０に基づいて、次式（３）の演算を行って、評価値Ｆｐを算出する（Ｓ１６５）。
評価値Ｆｐ＝Ｔ／αｗａｖ／Ｔ０・・・・・・・・・・・・・・・式（３）
【０１１９】
給水時間Ｔには、他の洗浄消毒装置１０の給水実行状況に応じた遅延が含まれているので、給水時間Ｔを、実行状態を反映した給水時間係数の加重平均値αｗａｖで割って、給水時間Ｔから他の洗浄消毒装置１０の給水実行状況に応じた遅延が取り除かれる。これにより、水フイルタ８１の目詰まりによる遅延を表す評価値Ｆｐ（第２評価値）が得られる。
【０１２０】
次式（４）で算出される評価値Ｆｔ（第１評価値）は、評価値Ｆｐを基準値Ｔ０で割る前の値であり、目詰まりによる時間的な遅延分を基準値Ｔ０に加算した時間で表したものである。この評価値Ｆｔを評価値Ｆｐの代わりに給水異常の判定に用いてもよい。
評価値Ｆｔ＝Ｔ／αｗａｖ・・・・・・・・・・・・・・・・・・式（４）
【０１２１】
ただし、評価値Ｆｔは、基準値Ｔ０からの遅延を時間で表した値であるため、基準値Ｔ０を求める際の水位Ｌと同じ水位Ｌまでの給水時間Ｔを測定する場合にしか使用できない。具体的には、基準値Ｔ０は、水位ＬＭに到達するまでの給水時間Ｔを計測した値であるので、同じ水位ＬＭに到達するまでの給水時間Ｔを計測した場合にのみ、評価値Ｆｔを使用することができる。したがって、評価値Ｆとしては、評価値Ｆｔを基準値Ｔ０で割って時間的な遅延を割合で表した評価値Ｆｐを使用することが好ましい。評価値Ｆｐを使用すれば、基準値Ｔ０を求める際の水位Ｌと異なる水位Ｌまでの給水時間Ｔを測定した場合にも使用できるからである。
【０１２２】
下記に示す表１−１、２−１、３−１、４−１−１、４−２−２において、評価値Ｆｐ及びＦｔの算出例（例１−１〜１−４、例２−１〜２−４）を示す。表１−１は、給水時間Ｔにおける、単独実行時間及び同時実行時間の各実行時間ＳＴ（ｉ）を示す。表２−１は、表１−１の実行時間ＳＴ（ｉ）から求めた実行時間比率ｒ（ｉ）を示す。表３−１は、実行時間比率ｒ（ｉ）から求めた給水時間係数の加重平均値αｗａｖを示す。表４−１−１、４−２−１は、加重平均値αｗａｖから求めた評価値Ｆｐ、Ｆｔを示す。
【０１２３】
【表１−１】
2011206316.tif 000003
【０１２４】
【表２−１】
2011206316.tif 000004
【０１２５】
【表３−１】
2011206316.tif 000005
【０１２６】
【表４−１−１】
2011206316.tif 000006
【０１２７】
【表４−２−１】
2011206316.tif 000007
【０１２８】
例１−１は、水フイルタ８１の交換直後、すなわち、目詰まりが無い状態で、単独実行させた場合の例である。表２−１に示すように、単独実行時間比率ｒ（１）が１００％であるので、給水の全期間に渡って単独実行されたことを意味する。表１−１に示すように、給水時間Ｔは５０．０秒であり、この値が基準値Ｔ０として設定される。例１−１は、表３−１に示すように、給水時間係数の加重平均値αｗａｖが、給水時間係数テーブル１３１で設定されている、単独実行の場合の給水時間係数α（１）と同じ値（「１．００」）になる。表４−１−１及び表４−２−１に示すように、例１−１の評価値Ｆｐは「１．００」、評価値Ｆｔは「５０秒」となる。これは、水フイルタ８１の交換直後であるので、目詰まりによる遅延が無いことを意味している。
【０１２９】
例１−２〜１−４は、例１―１と同様に水フイルタ８１の交換直後に、それぞれ、２台、３台、４台を、それぞれの台数の実行時間比率ｒ（ｉ）を１００％で同時実行させた場合の例である。例１−２〜１−４の測定したそれぞれの給水時間Ｔ（５５．０秒、６２．５秒、７１．５秒）は、設定画面１３２の設定ボックス１３２ｂに測定値として入力される値である。表４−１−１及び表４−２−１に示すように、例１−２〜１−４の評価値Ｆｐは、「１．００」、評価値Ｆｔは「５０．０秒」となり、それぞれの給水時間Ｔに含まれている、他の洗浄消毒装置１０の同時実行に起因する時間的な遅延が取り除かれている。また、例１−２〜１−４は、例１−１と同様に目詰まりによる遅延が無いことを表している。
【０１３０】
例２−１は、例１−１と同様に、実行時間比率ｒ（１）が１００％で給水した場合の例であるが、例１−１と異なり、目詰まりによる遅延が生じた場合の例である。例２−１の給水時間Ｔは、表１−１に示すように、６２．５秒かかっている。実行時間比率ｒ（１）が１００％であるので、表３−１に示す、例２−１の給水時間係数の加重平均値αｗａｖは、単独実行させた場合の給水時間係数α（１）と同じ値（「１．００」）となる。評価値Ｆｐは「１．２５」、評価値Ｆｔは「６２．５秒」となり、基準値Ｔ０に対して、１．２５倍の遅延があることを示している。
【０１３１】
例２−２〜２−４は、例２−１と同様に、水フイルタ８１の目詰まりによる遅延が生じた場合の例であり、相違点は、同時実行台数である。例２−２〜２−４も、例１−１と同様に、それぞれの実行時間比率ｒ（２）〜（４）が１００％であるので、表３−１に示す、例２−２〜２−４の給水時間係数の加重平均値αｗａｖは、それぞれの台数で同時実行させた場合の給水時間係数α（２）〜（４）と同じ値（「１．１１」、「１．２５」、「１．４５」）となる。評価値Ｆｐは「１．２５」、評価値Ｆｔは「６２．５秒」となり、同時実行に起因する遅延は除去されており、目詰まりによる１．２５倍の遅延のみを表す値となっている。
【０１３２】
上記例１−１〜１−４、例２−１〜２−４は、いずれかの台数の実行時間比率ｒ（ｉ）が１００％で、給水中に実行台数の変動が無い例を示したが、下記表１−２、２−２、３−２、４−２−１、４−２−２において、１台の洗浄消毒装置１０が実行する１回の給水中に実行台数が変動する例（例３−１〜３−３、例４−１〜４−３）を示す。
【０１３３】
表１−２は、表１−１と同様に、給水時間Ｔにおける、単独実行時間及び同時実行時間の各実行時間ＳＴ（ｉ）を示す。表２−２は、表２−１と同様に、実行時間ＳＴ（ｉ）から求めた実行時間比率ｒ（ｉ）を示す。表３−２は、表３−１と同様に、実行時間比率ｒ（ｉ）から求めた給水時間係数の加重平均値αｗａｖを示す。表４−２−１、４−２−２は、それぞれ表４−１−１、４−２−１と同様に、加重平均値αｗａｖから求めた評価値Ｆｐ、Ｆｔを示す。
【０１３４】
【表１−２】
2011206316.tif 000008
【０１３５】
【表２−２】
2011206316.tif 000009
【０１３６】
【表３−２】
2011206316.tif 000010
【０１３７】
【表４−１−２】
2011206316.tif 000011
【０１３８】
【表４−２−２】
2011206316.tif 000012
【０１３９】
例３−１は、給水時間Ｔが「５２．９秒」であり、このうち、単独実行時間ＳＴ（１）が「２５．０秒」、２台同時実行時間ＳＴ（２）が「２７．９秒」の例である。この場合、上記式（１）より、単独実行時間比率ｒ（１）が「４７％」、２台同時実行時間比率ｒ（２）が「５３％」となる。上記式（２）より、例３−１の加重平均値αｗａｖは、「１．０６」となり、上記式（３）、（４）より、評価値Ｆｐは「１．００」となり、評価値Ｆｔは「５０秒」となる。
【０１４０】
例３−２及び例３−３も同様の手順で評価値Ｆｐ、評価値Ｆｔを算出すると、それぞれ「１．００」、「５０秒」となる。評価値Ｆｐ、Ｆｔからは同時実行に起因する遅延が除去されているので、これらの値は、水フイルタ８１の目詰まりによる遅延が無いことを表している。また、例３−１〜例３−３は、それぞれ給水時間Ｔが異なるが、その相違は、水フイルタ８１の目詰まりの進行状態の差によるものではなく、各給水時間Ｔ内における他の洗浄消毒装置１０の給水実行状況の違いによるものであることが分かる。
【０１４１】
一方、例４−１〜４−３は、例３−１〜例３−３と、実行時間比率ｒ（１）〜（４）が同様であるが、例３−１〜３−３と比べて、それぞれの同時実行時間ＳＴ（１）〜ＳＴ（４）が多く掛かっている。上記式（３）、（４）より、例４−１〜４−３の評価値Ｆｐ、評価値Ｆｔは、それぞれ「１．２５」、「６２．５秒」となる。評価値Ｆｐ、Ｆｔからは同時実行に起因する遅延が除去されているので、これらの値は、目詰まりによる１．２５倍の遅延が生じていることを意味する。例３−１〜３−３と同様に、例４−１〜例４−３は、給水時間Ｔが異なるが、それらの相違は、各給水時間Ｔ内における他の洗浄消毒装置１０の給水実行状況の違いによるものであり、水フイルタ８１の目詰まりの進行状態は、すべて同じであることが分かる。
【０１４２】
ＥＥＰＲＯＭ１０４には、評価値Ｆｐと比較される閾値Ｆｔｈが設定されている。閾値Ｆｔｈは、水位ＬＭに到達するまでの給水時間Ｔで判定する場合には、第１所定時間Ｔｈ（ＬＭ）に対応する値が設定される。第１所定時間Ｔｈ（ＬＭ）は、本例において、約１８０秒であり、基準値Ｔ０が約５０秒であるので、閾値Ｆｔｈは、１８０／５０＝３．６となる。ＣＰＵ１０１は、評価値Ｆｐが閾値Ｆｔｈを超えた場合に、水フイルタ８１の目詰まりによる給水異常と判定する。
【０１４３】
また、水フイルタ８１の交換時期の予告タイミングを判定する閾値ＦｔｈｗもＥＥＰＲＯＭ１０４に設定されている。閾値Ｆｔｈｗは、第３所定時間Ｔｈ（ＬＭＷ）に対応する値である。第３所定時間Ｔｈ（ＬＭＷ）が、例えば、第１所定時間Ｔｈの８０％に設定される場合には、閾値Ｆｔｈｗは、１８０×０．８／５０＝２．８８となる。ＣＰＵ１０１は、評価値Ｆｐが閾値Ｆｔｈｗ以上となった場合に交換時期の予告を行う。
【０１４４】
なお、評価値Ｆｐの代わりに、時間で表した評価値Ｆｔを用いる場合には、閾値Ｆｔｈは、１８０秒が設定され、閾値Ｆｔｈｗは、１４４秒が設定される。
【０１４５】
以下、上記構成による作用について図１８に示すフローチャートを参照しながら説明する。洗浄消毒装置１０は、洗浄工程（図５のＳ２１、Ｓ２４）及びすすぎ工程（図６のＳ３１）において、洗浄槽１３への給水を行う。
【０１４６】
給水工程において、ＣＰＵ１０１は、バルブ７９を開いて給水を開始すると（Ｓ１００）、自身の洗浄消毒装置１０の給水ステータス情報である給水開始情報を情報管理装置１１８に送信するとともに、情報管理装置１１８から他の洗浄消毒装置１０の給水ステータス情報の受信を開始する（Ｓ１１０）。給水を開始した時点で、既に給水を実行している他の洗浄消毒装置１０がある場合には、実行中である旨を表す給水ステータス情報を情報管理装置１１８から受信する。ＣＰＵ１０１は、給水が終了するまでの間、情報管理装置１１８との間で給水ステータスの送受信を継続し、給水ステータス情報を受信する毎にタイマ１０７で計測した時刻と対応付けてＲＡＭ１０３に順次記録する。
【０１４７】
そして、タイマ１０７をリセットして、給水時間Ｔの計測を開始する（Ｓ１２０）。バルブ７９が開かれると、水道設備１２０の開栓忘れが無い場合には、給水口７８及び水フイルタ８１を通って給水ノズル２９ａから洗浄槽１３に水が供給される。
【０１４８】
ＣＰＵ１０１は、タイマ１０７の経過時間と、水位センサ２７からの第２検知信号の出力を監視して、水道設備１２０の開栓忘れによる給水異常（開栓エラー）の有無を判定する（Ｓ１３０）。ＣＰＵ１０１は、第２所定時間Ｔｈ（ＬＬ）以内に第２検知信号が有る場合、すなわち、第２所定時間Ｔｈ（ＬＬ）以内に水位Ｌが水位ＬＬに到達した場合には、開栓忘れによる給水異常はなく、正常に給水が行われていると判定して（Ｓ１３０でＮ）、Ｓ１４０に進む。
【０１４９】
一方、第２所定時間Ｔｈ（ＬＬ）以内に第２検知信号の出力が無い場合、すなわち、第２所定時間Ｔｈ（ＬＬ）以内に水位Ｌが水位ＬＬに到達しない場合には、開栓忘れによる給水異常と判定して（Ｓ１３０でＹ）、図１２（Ｂ）の警告メッセージ１２７をディスプレイ３８に表示する第２警告を行う（Ｓ１５０）。ＣＰＵ１０１は、第２警告を行った後、それに続く処理を中止する（Ｓ２３０）。
【０１５０】
第２所定時間Ｔｈ（ＬＬ）は、約１０秒という、第１所定時間Ｔｈ（ＬＭ）（約１８０秒）と比べて短い時間に設定されているので、操作者に対して水道設備１２０の開栓忘れが発生したことを早く知らせることができる。警告メッセージ１２７によって、操作者は給水異常を認識し、蛇口７１や元栓を開けるといった対処を行った後、給水を再開させる。
【０１５１】
水道設備１２０の開栓忘れが無い場合には、給水ノズル２９ａからの水の供給により、洗浄槽１３内の水位Ｌは水位ＬＬを超えて、水位ＬＭに向かって上昇する。Ｓ１４０において、ＣＰＵ１０１は、水位センサ２７が出力する第１検知信号を監視して、水位Ｌが水位ＬＭに到達したか否かを監視する。
【０１５２】
水位Ｌが水位ＬＭに到達した場合には、ＣＰＵ１０１は、タイマ１０７で計測した給水時間ＴをＲＡＭ１０３に記録して、評価値Ｆｐを算出する処理を実行する（Ｓ１６０）。ＣＰＵ１０１は、図１７のフローチャートに示す手順に従って、タイムテーブルの作成（Ｓ１６１）、実行時間ＳＴ（ｉ）の算出（Ｓ１６２）、実行時間比率ｒ（ｉ）への換算（Ｓ１６３）、給水時間係数の加重平均値αｗａｖの算出（Ｓ１６４）、評価値Ｆｐの算出（Ｓ１６５）を順次実行する。
【０１５３】
ＣＰＵ１０１は、評価値Ｆｐの算出処理が終了すると、算出した評価値Ｆｐと閾値Ｆｔｈとを比較して、水フイルタ８１の目詰まりの有無を判定する（Ｓ１７０）。評価値Ｆｐが閾値Ｆｔｈ以内である場合には、ＣＰＵ１０１は、水フイルタ８１の目詰まりがなく、目詰まりによる給水異常はないと判定し（Ｓ１７０でＮ）、バルブ７９を閉じて給水を終了する（Ｓ１８０）。
【０１５４】
一方、評価値Ｆｐが閾値Ｆｔｈを超えた場合には（Ｓ１７０でＹ）、水フイルタ８１の目詰まりによる給水異常と判定する。この場合は、水フイルタ８１を交換すべきことを知らせる、図１２（Ａ）の警告メッセージ１２６をディスプレイ３８に表示する第１警告を行う（Ｓ１９０）。ＣＰＵ１０１は、第１警告の後、バルブ７９を閉じて給水を終了し、それに続く処理を中止する（Ｓ２３０）。警告メッセージ１２６によって、水フイルタ８１の交換時期が到来したことを認識した操作者は、水フイルタ８１を予備のフイルタと交換する。
【０１５５】
評価値Ｆｐが閾値Ｆｔｈ以内の場合（Ｓ１７０でＮ）には、給水異常が無いので、給水処理は正常に終了される（Ｓ１８０）。給水処理を終了すると、ＣＰＵ１０１は、情報管理装置１１８に対して、自身の給水終了情報を送信し、給水ステータス情報の送受信を終了する（Ｓ２００）。この後、Ｓ２１０において、ＣＰＵ１０１は、評価値Ｆｐと、閾値Ｆｔｈｗを比較する。評価値Ｆｐが閾値Ｆｔｈｗを下回っている場合には（Ｓ２１０でＮ）、交換時期は近づいていないと判定し、評価値Ｆｐが閾値Ｆｔｈｗ以上である場合（Ｓ２１０でＹ）には、水フイルタ８１の交換時期が近づいたと判定して、図１２（Ｃ）の警告メッセージ１２８をディスプレイ３８に表示する第３警告を行う（Ｓ２２０）。
【０１５６】
第３警告は、交換時期が近い旨の予告をするためのものであるので、第３警告をした後も、処理が中止されることはなく、それに続く処理（洗剤工程の給水処理であれば洗剤供給など）が行われる。警告メッセージ１２８によって、操作者は水フイルタ８１の交換時期が近いことを認識できるので、交換時期が到来する前に交換作業の準備を開始できる。そのため、水フイルタ８１の交換作業を計画的に行うことができる。交換時期が到来して交換作業を行う場合でも、事前準備により、交換作業が遅滞なく行われるため、洗浄消毒作業や内視鏡検査の作業計画への影響が少ない。
【０１５７】
以上説明したように、本発明の洗浄消毒装置１０は、水フイルタ８１の給水異常の判定を、評価値Ｆｐに基づいて行っている。評価値Ｆｐは、給水時間Ｔに含まれる、他の洗浄消毒装置１０の同時実行に起因する時間的な遅延が除去されている。また、評価値Ｆｐは、基準値Ｔ０に対する時間的な遅延を表すものであり、基準値Ｔ０は、施設毎に異なる水道設備１２０の性能によって決まる値である。この値を基準とする評価値Ｆｐを求めることにより、施設毎に異なる水道設備１２０の性能が給水時間Ｔに与える影響を排除することができる。これにより、水フイルタ８１の目詰まりによる給水異常を正確に判定することができる。このため、高価な水フイルタ８１の不要な交換が減り、ランニングコストを抑えることができる。
【０１５８】
上記実施形態において、ディスプレイ３８で第１〜第３警告を行う例で説明したが、第１〜第３警告は、ディスプレイ３８の他、インジケータランプの点灯、スピーカ１１３からの音声出力など種々の形態でもよく、さらに、各形態を組み合わせて行ってもよい。
【０１５９】
上記実施形態において、第１所定時間Ｔｈ（ＬＭ）、第２所定時間Ｔｈ（ＬＬ）、第３所定時間Ｔｈ（ＬＭＷ）、基準値Ｔ０、閾値Ｆｔｈや閾値Ｆｔｈｗのそれぞれの値は、例であり、適宜変更することができる。また、閾値Ｆｔｈや閾値Ｆｔｈｗの値は、操作パネル３６から設定変更できるようにしておくことが好ましい。
【０１６０】
また、洗浄工程から乾燥工程までの一連の工程を自動的に行う洗浄プログラムにおいて、給水は、繰り返し行われる。計測した給水時間Ｔや算出した評価値Ｆｐを、給水が行われる毎に、ＲＡＭ１０３やＥＥＰＲＯＭ１０４などのメモリに保存しておき、保存した過去の給水時間Ｔや評価値Ｆｐを履歴データとして利用してもよい。
【０１６１】
履歴データは、例えば、最新の給水時間Ｔや評価値Ｆｐが異常値か否かを判定するために用いられる。履歴データを異常値判定に用いる場合には、例えば、履歴データに含まれる過去１０回分の給水時間Ｔや評価値Ｆｐの移動平均値を算出し、移動平均値と最新の給水時間Ｔや評価値Ｆｐを比較する。最新の給水時間Ｔや評価値Ｆｐが移動平均値から著しく乖離している場合には、最新の給水時間Ｔや評価値Ｆｐが異常値であることが分かる。これにより、給水異常の判定結果が妥当なものかどうかを検証することができる。
【０１６２】
異常値と判定された場合には、給水時間Ｔや評価値Ｆｐと、それらの値が異常値である旨の情報とを関連付けて、ＥＥＰＲＯＭ１０４などのメモリに保存しておく。保存したデータは、例えば、図１２（Ａ）の警告メッセージ１２６が表示された後、水フイルタ８１の交換作業が開始される前に、交換作業を実施する作業者によって確認される。
【０１６３】
作業者は、例えば、給水時間Ｔや評価値Ｆｐが異常値である場合は、水フイルタ８１の目詰まりが原因ではく、給水異常の判定結果は妥当性を欠くものと判断する。この場合には、水フイルタ８１はまだ使える状態なので、交換が見送られる。水フイルタ８１の不要な交換が防止されるので、ランニングコストがさらに軽減される。
【０１６４】
また、履歴データには、経過時間Ｔの推移が記録されるので、この記録から水フイルタ８１の目詰まりがどの程度の速度で進行するかを把握することも可能である。経過時間Ｔの推移は、水フイルタ８１の実際の耐用期間がどの程度であるかの目安になり、予備の水フイルタ８１を、いつまでにどの程度の数量を用意しておく必要があるかといった準備計画を立てる上での参考にもなる。
【０１６５】
上記実施形態では、洗浄消毒装置とは別の情報管理装置を用いて、各洗浄消毒装置の給水ステータス情報を収集し、収集した給水ステータス情報を各洗浄消毒装置に配信する例で説明したが、情報管理装置が持つ給水ステータス情報を収集配信する機能を、洗浄消毒装置に持たせてもよい。この場合は、情報管理装置を経由することなく、各洗浄消毒装置同士が直接給水ステータス情報の送受信を行う。また、複数台の洗浄消毒装置のうちの１台に給水ステータス情報を収集配信する機能を持たせてもよい。
【０１６６】
また、給水時間係数テーブルを洗浄消毒装置のＥＥＰＲＯＭなどの記憶手段に記憶させる例で説明したが、給水時間係数テーブルの記憶手段を情報管理装置に設けてもよい。この場合には、各洗浄消毒装置は情報管理装置と通信して、給水時間係数テーブルを読み出す。また、情報管理装置が、各洗浄消毒装置から給水ステータス情報に加えて、給水時間Ｔを受信して、給水時間係数テーブルに基づいて給水異常の判定までの処理を行い、判定結果を各洗浄消毒装置に配信してもよい。つまり、上記実施形態で洗浄消毒装置が有する給水異常判定機能を情報管理装置に設けて、情報管理装置を給水異常判定装置として機能させてもよい。
【０１６７】
さらに、情報管理装置１１８に、水道設備１２０を共用する複数台の洗浄消毒装置のステータス表示機能を追加してもよい。例えば、図１９に示すように、情報管理装置１１８は、モニタ１１８ａにステータス表示画面１４０を表示する。ステータス表示画面１４０には、装置ＩＤが１〜４の各洗浄消毒装置１０のステータスを表示する表示バー１４１が表示される。
【０１６８】
表示バー１４１は、洗浄、すすぎ、消毒、すすぎ１〜３、乾燥という洗浄消毒処理の各工程に対応する表示枠と、待機（スタンバイ）状態及び終了状態に対応する表示枠の複数の表示枠に区分されている。各表示バー１４１において、各洗浄消毒装置１０の現在のステータスに対応する表示枠（ハッチングで示す）は、他の表示枠と色を変えたり、点滅させるなどの方法により、他の表示枠と識別可能に表示される。これにより、各洗浄消毒装置１０の現在のステータスが表示される。
【０１６９】
洗浄消毒処理の各工程に対応する表示枠は、実行中の洗浄消毒処理が現在どの工程にあるかという洗浄消毒処理における進捗状況を表示するための表示枠である。待機状態及び終了状態の表示枠は、ともに洗浄消毒処理を実行していない状態を示すものであり、待機状態は、洗浄消毒処理の開始指示の入力を待機している状態であり、終了状態は、洗浄消毒処理が終了した直後の状態である。また、各表示バー１４１の横には、実行中の洗浄消毒処理が終了するまでの残り時間が表示される。なお、残り時間の代わりに、全工程を１００％とした場合に何パーセント終了したかといった割合で表示してもよい。
【０１７０】
本例においては、ＩＤ１の洗浄消毒装置１０の現在のステータスは終了状態であり、ＩＤ２の洗浄消毒装置１０は消毒工程後の２回目のすすぎ工程を実行中であり、ＩＤ３の洗浄消毒装置１０は待機状態にあり、ＩＤ４の洗浄消毒装置１０は消毒工程を実行中であることを示している。
【０１７１】
このように、情報管理装置１１８にステータス表示機能を設けることで、洗浄消毒処理を実行中か否か、洗浄消毒処理の全工程における進捗状況、及び実行中の洗浄消毒処理が終了するまでの残り時間等という各洗浄消毒装置１０に関するステータスを一覧することができるので、便利である。
【０１７２】
また、洗浄、消毒、すすぎ等の各工程に含まれるサブ工程の進捗状況を表示してもよい。例えば、すすぎ工程は、上述の通り、給水、循環、排水のサブ工程を含んでいる。これらのサブ工程に対応する表示枠を設けて、すすぎ工程内のどのサブ工程を実行中であるかを表示してもよい。
【０１７３】
このようなステータス表示機能を情報管理装置１１８に設ける場合には、給水ステータス情報に加えて、洗浄、消毒、すすぎ、乾燥等の全工程のステータス情報を、ＬＡＮ１１６を通じて情報管理装置１１８に送信する機能を、各洗浄消毒装置１０に付加する。情報管理装置１１８は、各洗浄消毒装置１０から受信するステータス情報に基づいて、状態表示画面１４０を生成し、モニタ１１８ａに表示する。
【０１７４】
本発明は、内視鏡を洗浄・消毒する洗浄消毒装置に限らず、洗浄・消毒によって再使用される医療器具を洗浄・消毒する洗浄消毒装置にも適用できる。内視鏡以外の医療器具としては、例えば、鉗子、超音波プローブ、クリップ処置具、スネアなど、内視鏡の鉗子チャンネルを挿通して使用される処置具が考えられる。もちろん、内視鏡とともに使用される処置具以外の医療器具でもよい。本発明は、上記実施形態に限定されるものではなく、発明の要旨を逸脱しない範囲で種々変形して実施することが可能である。
【符号の説明】
【０１７５】
１０  洗浄消毒装置
１２  内視鏡
１３  洗浄槽
２７  水位センサ
２９ａ  給水ノズル
３８  ディスプレイ（警告手段）
７１  蛇口
７８  給水口
７９  バルブ（給水弁）
１０１  ＣＰＵ（評価値算出手段、判定手段）
１０６  ネットワークＩ／Ｆ（通信手段）
１０７  タイマ
１１３  スピーカ（警告手段）
１１８  情報管理装置（給水異常判定装置、収集装置）
１２６〜１２８  警告メッセージ
【図１】
2011206316.tif 000013
【図２】
2011206316.tif 000014
【図３】
2011206316.tif 000015
【図４】
2011206316.tif 000016
【図５】
2011206316.tif 000017
【図６】
2011206316.tif 000018
【図７】
2011206316.tif 000019
【図８】
2011206316.tif 000020
【図９】
2011206316.tif 000021
【図１０】
2011206316.tif 000022
【図１１】
2011206316.tif 000023
【図１２】
2011206316.tif 000024
【図１３】
2011206316.tif 000025
【図１４】
2011206316.tif 000026
【図１５】
2011206316.tif 000027
【図１６】
2011206316.tif 000028
【図１７】
2011206316.tif 000029
【図１８】
2011206316.tif 000030
【図１９】
2011206316.tif 000031